(57)【要約】  トレーディングカード（１，２）はそれぞれ回路の一部（１７，１８）を有する。トレーディングカードがゲームカード（３）に挿入されると、回路が完成する。回路によって、ゲームカード上の４つの発光ダイオード（２９１，２９２，２９３，２９４）のうちの一つが点灯する。カードに半導体チップは必要ない。
2008526339.tif 000002
【特許請求の範囲】
【請求項１】
電気回路の一部を含むことを特徴とするチップなしトレーディングカード。
【請求項２】
娯楽として他のカードと比較するためのチップなしカードであって、電気回路の一部を含むことを特徴とするカード。
【請求項３】
請求項１または請求項２に記載のカードにおいて、
前記回路の前記一部は、導電インクを含む少なくとも一つのパスを含むことを特徴とするカード。
【請求項４】
請求項１から請求項３のいずれか１項に記載のカードにおいて、
前記回路の前記一部は、導電性塗料を含む少なくとも一つのパスを備えることを特徴とするカード。
【請求項５】
請求項１から請求項４のいずれか１項に記載のカードにおいて、
前記回路の前記一部は、導体箔からなる少なくとも一つのパスを備えることを特徴とするカード。
【請求項６】
請求項１から請求項５のいずれか１項に記載のカードにおいて、
前記回路の前記一部は、複数の端子と複数の導電パスを備え、
第１の導電パスは第１及び第２の端子と接続することを特徴とするカード。
【請求項７】
請求項６に記載のカードにおいて、
第２の導電パスは、第３及び第４の端子と接続し、前記第１及び第２の導電パスは互いに電気的に絶縁されていることを特徴とするカード。
【請求項８】
請求項１から請求項７のいずれか１項に記載のカードにおいて、
前記回路の第１の部分は、前記カードの第１の面に配置され、前記回路の第２の部分は、前記カードの第２の面に配置されることを特徴とするカード。
【請求項９】
請求項８に記載のカードにおいて、
前記回路の前記第１の部分は、第１の導電トラックを有し、前記電気回路の前記第２の部分は、第２の導電トラックを有することを特徴とするカード。
【請求項１０】
請求項１から請求項９のいずれか１項に記載のカードにおいて、
前記回路の一部は、データを記憶するように構成されることを特徴とするカード。
【請求項１１】
請求項１０に記載のカードにおいて、
導電パスの固定構成によりデータ値をコード化することを特徴とするカード。
【請求項１２】
請求項１から請求項１１のいずれか１項に記載のカードにおいて、
複数の端子と複数の導電パスを備え、
前記導電パスの少なくともいずれかは、第１のデータ値を記憶するパスを所定の配置とするように、前記端子の少なくともいずれかとそれぞれ接続するように配置され、
前記複数の端子に他の回路が接続されると、前記第１のデータ値が決定可能となることを特徴とするカード。
【請求項１３】
請求項１１に記載のカードにおいて、
前記回路の他の部分を含む他のカードと協働し、対応する複数の端子と、第２のデータ値をコード化するよう構成された複数のパスとを備え、前記トレーディングカードが協働するときに前記第１のデータと前記第２のデータとの比較を許可することを特徴とするカード。
【請求項１４】
請求項１から請求項１３のいずれか１項に記載のカードにおいて、
少なくとも１つの電源と、
少なくとも１つのインジケータとをさらに備え、
前記カードが別のカードと協働するときにインジケータが作動することを特徴とするカード。
【請求項１５】
請求項１から請求項１４のいずれか１項に記載のカードにおいて、
前記回路の前記一部は、複数の異なる回路によって共有されることを特徴とするカード。
【請求項１６】
請求項１から請求項１５のいずれか１項に記載のカードにおいて、
前記回路の前記一部の一領域に少なくとも電気的に接続される第１、第２、及び第３の端子を備えることを特徴とするカード。
【請求項１７】
請求項１６に記載のカードにおいて、
前記第１、第２及び第３の端子はそれぞれ第１、第２及び第３の導電トラックのノードに電気的に接続されることを特徴とするカード。
【請求項１８】
請求項１６に記載のカードにおいて、
前記第１及び第２の端子は第１の導電トラックに電気的に接続され、前記第２及び第３の端子は、第２の導電トラックに接続されることを特徴とするカード。
【請求項１９】
請求項１から請求項１８のいずれか１項に記載のカードにおいて、
複数の端子を備え、前記複数の端子のうちの少なくとも２つは前記回路の前記一部の一領域に少なくとも電気的に接続され、前記端子の少なくとも一つは他の全ての端子から絶縁されていることを特徴とするカード。
【請求項２０】
請求項１から請求項１９のいずれか１項に記載のカードにおいて、
電気接続された端子のセットを含み、前記カードの一端に沿って配置された複数の端子を備えることを特徴とするカード。
【請求項２１】
請求項１から請求項２０のいずれか１項に記載のカードにおいて、
電気接続された端子の他のセットを含み、前記カードの他の一端に沿って配置された複数の端子を備えることを特徴とするカード。
【請求項２２】
請求項２０または請求項２１に記載のカードにおいて、
前記一端は、直線、または１８０度以上は曲がらないことを特徴とするカード。
【請求項２３】
請求項２０、請求項２１、または請求項２２に記載のカードにおいて、
前記端子は前記端部に接触する、あるいは前記端部から２ｍｍ以上離れないことを特徴とするカード。
【請求項２４】
電気回路の第１及び第２の部分をそれぞれ有する第１及び第２のトレーディングカードを受け入れるゲームカードであって、
前記第１及び第２のトレーディングカードを受け入れると前記回路が完成するように前記回路の第３の部分を有することを特徴とするゲームカード。
【請求項２５】
電気回路の第１及び第２の部分をそれぞれ有する第１及び第２のトレーディングカードを受け入れて、娯楽としてこれらを比較するゲームカードであって、
前記第１及び第２のトレーディングカードを受け入れると前記回路が完成するように前記回路の第３の部分を有することを特徴とするゲームカード。
【請求項２６】
請求項２４または請求項２５に記載のゲームカードにおいて、
第１及び第２のカードに記憶されたデータを比較することを特徴とするゲームカード。
【請求項２７】
請求項２４から請求項２６のいずれか１項に記載のゲームカードにおいて、
前記第１及び前記第２のカードが前記ゲームカードに受け入れられると前記回路が完成することを特徴とするゲームカード。
【請求項２８】
請求項２４から請求項２７のいずれか１項に記載のゲームカードにおいて、
前記第３の部分は、前記第１のカードの対応する端子のセット、および前記第２のカードの対応する端子のセットとそれぞれ接続するための第１及び第２の端子のセットと、複数の導電パスとを備え、前記導電パスの少なくともいくつかは前記第１の端子セット中の端子と前記第２の端子セット中の端子とを連結することを特徴とするゲームカード。
【請求項２９】
請求項２４から請求項２８のいずれか１項に記載のゲームカードにおいて、
少なくとも一つの電源と、
少なくとも一つのインジケータとを備え、
前記第１および第２のカードを受けるとインジケータが作動することを特徴とするゲームカード。
【請求項３０】
請求項２９に記載のゲームカードにおいて、
データ処理ユニットをさらに備えることを特徴とするゲームカード。
【請求項３１】
請求項２９または請求項３０に記載のゲームカードにおいて、
前記少なくとも一つのインジケータは、発光体であることを特徴とするゲームカード。
【請求項３２】
請求項２９から請求項３１のいずれか１項に記載のゲームカードにおいて、
前記少なくとも一つのインジケータはディスプレイであることを特徴とするゲームカード。
【請求項３３】
請求項３２に記載のゲームカードにおいて、
前記ディスプレイはエレクトロクロミックディスプレイであることを特徴とするゲームカード。
【請求項３４】
請求項２９または請求項３０に記載のゲームカードにおいて、
前記少なくとも一つのインジケータは音出力装置であることを特徴とするゲームカード。
【請求項３５】
請求項２９から請求項３４のいずれか１項に記載のゲームカードにおいて、
前記第１または第２のカードの面と実質的に同じ面積を有する面を備えることを特徴とするゲームカード。
【請求項３６】
請求項２９から請求項３４のいずれか１項に記載のゲームカードにおいて、
第１及び第２の端子を備える第１のインジケータと、
第１及び第２の端子を備える第２のインジケータとを備え、
前記第１及び第２のインジケータの前記第１の端子は、前記カードの第１の端部の直近に設けられ、前記カードの前記第２の端子は前記カードの第２の端部の直近に設けられることを特徴とするゲームカード。
【請求項３７】
請求項３６に記載のゲームカードにおいて、
前記インジケータは発光ダイオードであることを特徴とするゲームカード。
【請求項３８】
電気回路の第１の部分を含む第１のトレーディングカードと、
前記回路の第２の部分を含む第２のトレーディングカードと、
前記回路の前記第１及び第２の部分を接続する手段とを備えることを特徴とするトレーディングカードシステム。
【請求項３９】
電気回路の第１の部分を含み、娯楽として他のカードと比較するための第１のカードと、
前記回路の第２の部分を含み、他のカードと比較するための第２のカードと、
前記回路の前記第１及び第２の部分を接続する手段とを備えることを特徴とするカードシステム。
【請求項４０】
請求項３８または請求項３９に記載のシステムにおいて、
前記回路の前記第１及び第２の部分を接続する手段は、前記第１及び第２のカードを受け入れるゲームカードを備えることを特徴とするシステム。
【請求項４１】
請求項４０に記載のシステムにおいて、
前記第１及び第２のカードは前記ゲームカードに受け入れられることを特徴とするシステム。
【請求項４２】
例えばトレーディングカードなど、娯楽として他のカードと比較するためのカードセットであって、
各カードは前記カードに対して同じ位置に複数の端子を備え、
前記セットの第１のカードにおいて、第１及び第２の端子が電気的に接続され、
前記セットの第２のカードにおいて、対応する位置にある第１及び第２の端子は電気的に接続されていないことを特徴とするカードセット。
【請求項４３】
例えばトレーディングカードなど、娯楽として他のカードと比較するためのカードセットであって、
前記セットの第１のカードは、電気的に接続され、前記カードに対する第１及び第２の位置に配置された第１及び第２の端子を備え、
前記セットの第２のカードは、前記カードに対して対応する第１及び第２の位置の一方、あるいは両方に端子が配置されていないことを特徴とするカードセット。
【請求項４４】
製品用パッケージであって、
前記パッケージは、取り外し可能なトレーディングカードまたは娯楽として他のカードと比較するためのカードを有し、前記トレーディングカードまたはカードは電気回路の一部を備えることを特徴とするパッケージ。
【請求項４５】
電気回路の第１および第２の部分をそれぞれ有し、互いに比較しあう第１及び第２のカードと、
前記第１及び第２のカードを受け入れて電気的に比較し、前記第１及び第２のカードの比較結果を示す手段と、
ボードと、
少なくとも一つのコマとを備え、前記少なくとも一つのコマは前記比較結果に応じて移動されることを特徴とするゲーム。
【請求項４６】
トレーディングカードシステムを組み立てる方法であって、
前記トレーディングカードシステムは電気回路の第１の部分を有する第１のトレーディングカードと、前記回路の第２の部分を有する第２のトレーディングカードと、前記回路の前記第１及び第２の部分を接続する手段とを供え、
前記方法は、
前記回路の前記第１及び第２の部分を接続するために前記接続手段を利用することを特徴とする方法。
【請求項４７】
カードシステムを組み立てる方法であって、
前記カードシステムは、電気回路の第１の部分を有し、娯楽として他のカードと比較する第１のカードと、前記回路の第２の部分を有し、娯楽として他のカードと比較する第２のカードと、前記回路の前記第１及び第２の部分を接続する手段とを備え、
前記方法は、
前記回路の前記第１及び第２の部分を接続するために前記接続手段を利用することを特徴とする方法。
【請求項４８】
請求項４６または請求項４７に記載のトレーディングカードシステムの組み立て方法において、
前記回路の前記第１及び第２の部分を接続する手段は、前記第１及び第２のカードを受け入れるためのゲームカードを有し、
前記回路の前記第１及び第２の部分を接続するための前記接続手段を利用することで、前記第１及び第２のカードを前記ゲームカードに連結することを特徴とする方法。
【請求項４９】
請求項４８に記載の方法において、
前記ゲームカードはカードを受け入れる第１及び第２のスロットを有し、
前記第１及び第２のカードを前記ゲームカードと連結するために、前記第１のカードを前記第１のスロットに挿入し、前記第２のカードを前記第２のスロットに挿入することを特徴とする方法。
【請求項５０】
トレーディングカードを製造する方法であって、
複数の電気回路からなる回路セットを設計し、前記複数の回路の第１のサブセットは回路の共通部分を有し、
前記回路の前記共通部分を有するトレーディングカードを製造することを特徴とする方法。
【請求項５１】
娯楽として他のカードと比較するためのカードを製造する方法であって、
複数の電気回路からなる回路セットを設計し、前記複数の回路の第１のサブセットは回路の共通部分を有し、
前記回路の前記共通部分を有するカードを製造することを特徴とする方法。
【請求項５２】
例えばトレーディングカードなど、娯楽として他のカードと比較するためのカードセットを製造する方法であって、
各カードに対して、前記カードに対する同一位置に複数の端子を設け、
前記セットの第１のカードに対し、第１及び第２の端子の間の電気的接続を設け、
前記セットの第２のカードに対し、対応する位置に配置された第１及び第２の端子の間に電気的接続を設けないことを特徴とする方法。
【請求項５３】
例えばトレーディングカードなど、娯楽として他のカードと比較するためのカードセットを製造する方法であって、
第１のカードに対して、前記カードに対する第１及び第２の位置に第１及び第２の端子を設け、
第２のカードに対して、対応する第１及び第２の位置のいずれか、または両方に端子を配置しないことを特徴とする方法。
【請求項５４】
娯楽として他のカードと比較するためのトレーディングカードまたはカードを製造する方法であって、
前記カードは、導電インク、塗料もしくは箔を有する少なくとも１つのパスを備える電気回路の一部を有することを特徴とするトレーディングカードまたはカード。
【請求項５５】
物品に対する電気テスターであって、
少なくとも３つの端子を有し、前記物品を着脱可能に受け入れるインターフェースと、
第１の接触端子に接続する端子を有する電源と、
第２の接触端子に接続する端子を有する第１のインジケータと、
第３の端子と接続する端子を有する第２のインジケータとを備えることを特徴とする電気テスター。
【請求項５６】
請求項５５に記載の電気テスターにおいて、
前記インジケータは発光ダイオードであることを特徴とする電気テスター。
【請求項５７】
請求項５５または請求項５６に記載の電気テスターにおいて、
前記電気テスターはチップなしであることを特徴とする電気テスター。
【請求項５８】
請求項５５、請求項５６、または請求項５７に記載の電気テスターと、
物品とを備えるシステムであって、
少なくとも３つの端子を有する対応インターフェースを備え、
前記少なくとも３つの端子は、前記第１、第２及び第３の接触端子とそれぞれ接続するように配置された第４、第５、及び第６の接触端子を有し、
前記第４の接触端子と前記第５及び第６の端子のいずれか一方との間の導電パスをさらに備えることを特徴とするシステム。
【請求項５９】
請求項５５、請求項５６または請求項５７に記載の電気テスター、または請求項５８に記載のシステムにおいて、
前記電気テスターはゲームカードであり、前記物品はトレーディングカードであることを特徴とする電気テスターまたはシステム。
【請求項６０】
請求項５５、請求項５６または請求項５７に記載の電気テスター、または請求項５８に記載のシステムにおいて、
前記物品は玩具であり、望ましくはブロック玩具であることを特徴とする電気テスターまたはシステム。
【発明の詳細な説明】
【技術分野】
【０００１】
本発明は、トレーディングカードと、ゲームや遊びで同様のカードと比較するためのカードに関する。
【背景技術】
【０００２】
トレーディングカードは、スポーツ等の特定のテーマや題材に関するカードセットのうちの一枚であり、通常、子供やファンが遊びで集めたり交換したりするものである。
トレーディングカードは、トレーディングカードの主題に関連する数値データを載せることができる。したがって、各カードの選択された特性値を互いに比較し、最も高い特性値を有するものが勝つといった、予め決定されたルールに従って、どのカードが勝つかを決めるというゲームとして、カードで遊ぶことができる。通常、勝った方は負けた方のカードを手に入れる。
【発明の開示】
【発明が解決しようとする課題】
【０００３】
スマートカードやいわゆる「チップアンドピン」式のデビットカードやクレジットカードのメモリにデータを保存することが知られている。しかし、スマートカードをトレーディングカードとして利用したり、トレーディングカードにメモリを埋め込んだりすることは非常に高価である。さらに、既存のタイプのトレーディングカードにメモリを埋め込むには、製造方法を大幅に変更する必要があり、望ましくない。また、スマートカードの読み取りには、それ自体が複雑で高価な装置を利用することになる。スマートカードとして構成されたトレーディングカードの例がＷＯ−Ａ−０１４８５８０とＣＡ−Ａ−２３５７９３４に記載されている。
【０００４】
内蔵メモリにデータを格納する代わりに、バーコードを利用する方法もあり、この例がＷＯ−Ａ−２００３０１８１５６に記載されている。バーコードは容易にカードに印刷できるが、やはり複雑で高価な読み取り装置が必要になる。
【０００５】
ＷＯ−Ａ−１９９５３５２１６には、プリント回路を有する宝くじ券が開示されている。回路は記号の上、かつスクラッチコーティングの下に印刷され、宝くじ券をけずるとプリント回路とスクラッチコーティングがはがされる。どの領域のスクラッチコーティングがはがされたかを判定するために、電子照合装置が利用される。宝くじ券の改ざんや変更があると回路の特性が変化するため、改ざんや変更を発見することができる。しかし、プリント回路はセキュリティデバイスとしては働くが、データ格納に使用されない。
【０００６】
本発明はトレーディングカードを提供するものである。
【課題を解決するための手段】
【０００７】
本発明の第１の態様によると、電気回路の一部を含むチップなしトレーディングカードを提供する。
【０００８】
本発明はまた、娯楽として他のカードと比較するためカードを提供する。
【０００９】
本発明の第２の態様によると、娯楽として他のカードと比較するためのチップなしカードであって、電気回路の一部を含むものを提供する。
【００１０】
娯楽として他のカードと比較するためのカードは、トレーディングカードとしてもよい。
【００１１】
ここで、「チップなしカード」とは例えばシリコンやヒ化ガリウム等の半導体素材のチップを備えないカードを意味する。
【００１２】
回路の一部は、導電インク、導電性塗料、および/または導体箔を含む少なくとも一つのパスを含んでもよい。回路の一部は、複数の端子と複数の導電パスを備え、第１の導電パスは第１及び第２の端子と接続してもよい。第２の導電パスは、第３及び第４の端子と接続し、第１及び第２の導電パスは互いに電気的に絶縁されていてもよい。回路の第１の部分は、カードの第１の面に配置され、回路の第２の部分は、カードの第２の面に配置されてもよい。回路の第１の部分は、第１の導電トラックを有し、電気回路の第２の部分は、第２の導電トラックを有してもよい。回路の一部は、データを記憶するように構成されてもよい。導電パスの固定構成によりデータ値をコード化してもよい。
【００１３】
カードは複数の端子と複数の導電パスを備え、導電パスの少なくともいずれかは、第１のデータ値を記憶するパスを所定の配置とするように、端子の少なくともいずれかとそれぞれ接続するように配置され、複数の端子に他の回路が接続されると、第１のデータ値を決定可能してもよい。回路の他の部分を含む他のカードと協働し、対応する複数の端子と、第２のデータ値をコード化するよう構成された複数のパスとを備え、トレーディングカードが協働するときに第１のデータと前記第２のデータとの比較を許可してもよい。カードは、少なくとも１つの電源と、少なくとも１つのインジケータとをさらに備え、カードが別のカードと協働するときにインジケータが作動するようにしてもよい。回路の一部は、複数の異なる回路によって共有されてもよい。カードは、複数の回路の一部を備えてもよい。カードは、複数の回路の一部を備えてもよい。
【００１４】
カードは、回路の一部の一領域に少なくとも電気的に接続される第１、第２、及び第３の端子を備えてもよい。第１、第２及び第３の端子はそれぞれ第１、第２及び第３の導電トラックのノードに電気的に接続されてもよい。第１及び第２の端子は第１の導電トラックに電気的に接続され、第２及び第３の端子は、第２の導電トラックに接続されてもよい。
【００１５】
カードは、複数の端子を備え、複数の端子のうちの少なくとも２つは回路の一部の一領域に少なくとも電気的に接続され、端子の少なくとも一つは他の全ての端子から絶縁されていてもよい。
【００１６】
カードは、電気接続された端子のセットを含み、カードの一端に沿って配置された複数の端子を備えてもよい。カードは、電気接続された端子の他のセットを含み、カードの他の一端に沿って配置された複数の端子を備えてもよい。
【００１７】
上記一端は、直線、または１８０度以上は曲がらなくてもよい。端子は端部に接触する、あるいは端部から２ｍｍ以上離れないようにしてもよい。
【００１８】
本発明の第３の態様によると、電気回路の第１及び第２の部分をそれぞれ有する第１及び第２のトレーディングカードを受け入れるゲームカードであって、第１及び第２のトレーディングカードを受け入れると回路が完成するように回路の第３の部分を有するものを提供する。
【００１９】
本発明の第４の態様によると、電気回路の第１及び第２の部分をそれぞれ有する第１及び第２のトレーディングカードを受け入れて、娯楽としてこれらを比較するゲームカードであって、第１及び第２のトレーディングカードを受け入れると回路が完成するように回路の第３の部分を有するものを提供する。
【００２０】
ゲームカードは、第１及び第２のカードに記憶されたデータを比較してもよい。ゲームカードは、第１及び第２のカードがゲームカードに受け入れられると回路が完成するようにしてもよい。回路の第３の部分は、第１のカードの対応する端子のセット、および第２のカードの対応する端子のセットとそれぞれ接続するための第１及び第２の端子のセットと、複数の導電パスとを備え、導電パスの少なくともいくつかは第１の端子セット中の端子と第２の端子セット中の端子とを連結してもよい。ゲームカードは、少なくとも一つの電源と、少なくとも一つのインジケータとを備え、第１および第２のカードを受けるとインジケータが作動するようにしてもよい。ゲームカードは、データ処理ユニットをさらに備えてもよい。インジケータは、ディスプレイ等の発光体、例えばエレクトロクロミックディスプレイ、または音出力装置でもよい。
【００２１】
本発明の第５の態様によると、電気回路の第１の部分を含む第１のトレーディングカードと、回路の第２の部分を含む第２のトレーディングカードと、回路の第１及び第２の部分を接続する手段とを備えるトレーディングカードシステムを提供する。
【００２２】
本発明の第６の態様によると、電気回路の第１の部分を含み、娯楽として他のカードと比較するための第１のカードと、回路の第２の部分を含み、他のカードと比較するための第２のカードと、回路の第１及び第２の部分を接続する手段とを備えるカードシステムを提供する。
【００２３】
回路の第１及び第２の部分を接続する手段は、第１及び第２のカードを受け入れるゲームカードを備えてもよい。第１及び第２のカードはゲームカードに受け入れられてもよい。ゲームカードは、第１または第２のカードの面とほぼ同じ面積の面を有してもよい。
【００２４】
ゲームカードは、第１及び第２の端子を備える第１のインジケータと、第１及び第２の端子を備える第２のインジケータとを備え、第１及び第２のインジケータの第１の端子は、カードの第１の端部の直近に設けられ、カードの第２の端子はカードの第２の端部の直近に設けられてもよい。インジケータは発光ダイオードでもよい。
【００２５】
本発明の第７の態様によると、トレーディングカードシステムを組み立てる方法を提供し、トレーディングカードシステムは電気回路の第１の部分を有する第１のトレーディングカードと、回路の第２の部分を有する第２のトレーディングカードと、回路の第１及び第２の部分を接続する手段とを供え、この方法は、回路の第１及び第２の部分を接続するために接続手段を利用する。
【００２６】
本発明の第８の態様によると、カードシステムを組み立てる方法を提供し、カードシステムは、電気回路の第１の部分を有し、娯楽として他のカードと比較する第１のカードと、回路の第２の部分を有し、娯楽として他のカードと比較する第２のカードと、回路の第１及び第２の部分を接続する手段とを備え、この方法は、回路の第１及び第２の部分を接続するために接続手段を利用する。
【００２７】
回路の第１及び第２の部分を接続する手段は、第１及び第２のカードを受け入れるためのゲームカードを有し、回路の第１及び第２の部分を接続するための接続手段を利用することで、第１及び第２のカードをゲームカードに連結してもよい。ゲームカードはカードを受け入れる第１及び第２のスロットを有し、第１及び第２のカードをゲームカードと連結するために、第１のカードを第１のスロットに挿入し、第２のカードを第２のスロットに挿入してもよい。
【００２８】
本発明の第９の態様によると、電気回路の第１および第２の部分をそれぞれ有し、互いに比較しあう第１及び第２のカードと、第１及び第２のカードを受け入れて電気的に比較し、第１及び第２のカードの比較結果を示す手段と、ボードと、少なくとも一つのコマとを備え、少なくとも一つのコマは比較結果に応じて移動されるゲームを提供する。
【００２９】
本発明の第１０の態様によると、製品用パッケージを提供し、パッケージは、取り外し可能なトレーディングカードまたは娯楽として他のカードと比較するためのカードを有し、トレーディングカードまたはカードは電気回路の一部を備える。
【００３０】
本発明の第１１の態様によると、トレーディングカードを製造する方法を提供し、複数の電気回路からなる回路セットを設計し、複数の回路の第１のサブセットは回路の共通部分を有し、回路の共通部分を有するトレーディングカードを製造する。
【００３１】
本発明の第１２の態様によると、娯楽として他のカードと比較するためのカードを製造する方法を提供し、複数の電気回路からなる回路セットを設計し、複数の回路の第１のサブセットは回路の共通部分を有し、回路の共通部分を有するカードを製造する。
【００３２】
本発明の第１３の態様によると、例えばトレーディングカードなど、娯楽として他のカードと比較するためのカードセットを製造する方法を提供し、各カードに対して、カードに対する同一位置に複数の端子を設け、セットの第１のカードに対し、第１及び第２の端子の間の電気的接続を設け、セットの第２のカードに対し、対応する位置に配置された第１及び第２の端子の間に電気的接続を設けない。
【００３３】
本発明の第１４の態様によると、例えばトレーディングカードなど、娯楽として他のカードと比較するためのカードセットを提供し、セットの第１のカードは、電気的に接続され、カードに対する第１及び第２の位置に配置された第１及び第２の端子を備え、セットの第２のカードは、カードに対して対応する第１及び第２の位置の一方、あるいは両方に端子が配置されていない。
【００３４】
本発明の第１６の態様によると、例えばトレーディングカードなど、娯楽として他のカードと比較するためのカードセットを製造する方法を提供し、各カードに対して、カードに対する同一位置に複数の端子を設け、セットの第１のカードに対し、第１及び第２の端子の間の電気的接続を設け、セットの第２のカードに対し、対応する位置に配置された第１及び第２の端子の間に電気的接続を設けない。
【００３５】
本発明の第１７の態様によると、例えばトレーディングカードなど、娯楽として他のカードと比較するためのカードセットを製造する方法を提供し、第１のカードに対して、カードに対する第１及び第２の位置に第１及び第２の端子を設け、第２のカードに対して、対応する第１及び第２の位置のいずれか、または両方に端子を配置しない。
【００３６】
本発明の第１８の態様によると、物品に対する電気テスターを提供し、少なくとも３つの端子を有し、物品を着脱可能に受け入れるインターフェースと、第１の接触端子に接続する端子を有する電源（例えばバッテリー）と、第２の接触端子に接続する端子を有する第１のインジケータと、第３の端子と接続する端子を有する第２のインジケータとを備える。
【００３７】
インジケータは発光ダイオードであり、電気テスターはチップなしであってもよい。
【００３８】
本発明の第１９の態様によると、電気テスターと物品とを備えるシステムを提供し、少なくとも３つの端子を有する対応インターフェースを備え、少なくとも３つの端子は、第１、第２及び第３の接触端子とそれぞれ接続するように配置された第４、第５、及び第６の接触端子を有し、第４の接触端子と第５及び第６の端子のいずれか一方との間の導電パスをさらに備える。
【００３９】
電気テスターはゲームカードであり、物品はトレーディングカードであってもよい。物品は玩具、例えばブロック玩具であってもよい。
【図面の簡単な説明】
【００４０】
本発明の実施の形態を図面を参照した例として説明する。
【図１】図１は本発明による一対のトレーディングカードとゲームカードの斜視図。
【図２】図２は図１に示すトレーディングカードとゲームカードの平面図。
【図３】図３は図１に示す第１のトレーディングカードの一部を示すＡ-Ａ’断面図。
【図４】図４は図１に示す第２のトレーディングカードの一部を示すＢ-Ｂ’断面図。
【図５】図５はゲームトレーディングカードのＣ-Ｃ’断面図。
【図６】図６は図１に示すトレーディングカードとゲームカードを組み合わせた場合の平面図。
【発明を実施するための最良の形態】
【００４１】
図１に、本発明による第１、第２、及び第３のカードを示す。第１及び第２のカードはトレーディングカードであり、第３のカードは第１のカードと第２のカードとを比較してこれらの比較結果を示すためのゲームカードである。
【００４２】
トレーディングカード１、２は、それぞれ特定のテーマや題材に関するカードセット（不図示）のうちの一枚であり、通常、娯楽としてコレクタによって集められ、交換される。ゲームカード３もまた、それらのカードセット（不図示）の一枚としてもよい。本実施例では、カード１、２、３は（イギリス）フットボール協会プレミアリーグ（商標）のプレーヤーに関連するものである。
【００４３】
カード１、２、３はそれぞれ表面７、８、９と裏面１０、１１、１２を有する基板４、５、６を備えている。本実施例では、基板４、５、６は硬い紙か薄いボール紙からなる。しかし、別の材料、例えばプラスチック等を利用してもよい。
【００４４】
各トレーディングカード１、２の表面７、８にはそれぞれのテキスト１３、１４と少なくとも１つのイメージが描かれている。通常、テキスト１３、１４は名前と対応するデータを表す。テキストあるいはイメージを省略してもよい。
【００４５】
サッカー選手の場合、テキスト１３、１４はサッカー選手の名前と成績データを示す。成績データは、例えば１シーズン中の得点数（セーブ数）、１試合の平均ゴール数（セーブ数）、出場試合数、身長、体重等である。本実施例では、第１のトレーディングカードに第１のサッカー選手としてフォワードの選手を示し、第２のトレーディングカードに第２のサッカー選手としてディフェンダーの選手を示す。例えば、フォワードを一人とディフェンダーを一人など、複数のサッカー選手をトレーディングカード１，２に含めることもできる。
【００４６】
図２はカード１、２、３の回路部分を示す。各カード１、２、３は電気回路２０の第１、第２、および第３の部分１７、１８、１９をそれぞれ有する。各カード１、２、３は別の回路（不図示）を構成する各部を追加で備えてもよい。各カード１、２、３は、それぞれが完全で、互いに連結される回路（不図示）を備えてもよい。
【００４７】
回路２０は不図示の回路群の一部であり、各部１７、１８、１９を複数の回路で共有するようにしてもよい。すなわち、第１のトレーディングカードは数個の不完全な回路（すなわち論理回路）の一部を形成するとみなすことができる。２枚のカードが連結されると、一つの回路が完成する。したがって、第１及び第２の部分１７、１８と別の回路の第３の部分(不図示)とでは、別の異なる電気回路を形成する可能性がある。
【００４８】
第１のトレーディングカード１は少なくとも１つの導電パス２１と複数の端子２２を備えている。同様に、第２のトレーディングカード２は少なくとも１つの導電パス２３と複数の端子２４を備えている。
【００４９】
第１のトレーディングカード１において、複数の端子２２は第１の端子２２１、第２の端子２２２、第３の端子２２３、第４の端子２２４、第５の端子２２５、第６の端子２２６、第７の端子２２７、第８の端子２２８、および第９の端子２２９を含む。端子群２２は、第１の端子２２１から始まり、第９の端子２２９で終わるように一列に配置されている。複数の端子２２の数および配置はこれとは異なるようにしてもよい。
【００５０】
少なくとも１つの導電パス２１は、第１、第２、および第３の導電パス２１１、２１２、２１３を含む。第１の導電パス２１１は、第１および第８の端子２２１、２２８を接続する。第２の導電パス２１２は、第２、第４、および第７の端子２２２，２２４，２２７を接続する。第３の導電パス２１３は、第３、第５、および第６の端子２２３、２２５、２２６を接続する。パス２１と端子２２は異なる組合せで接続してもよい。
【００５１】
第２のトレーディングカード２において、複数の端子２４は、第１の端子２４１、第２の端子２４２、第３の端子２４３、第４の端子２４４、第５の端子２４５、第６の端子２４６、第７の端子２４７、第８の端子２４８、および第９の端子２４９を含む。端子群２４は、第１の端子２４１から始まり、第９の端子２４９で終わるように一列に配置されている。複数の端子２４の数および配置はこれとは異なるようにしてもよい。
【００５２】
少なくとも１つの導電パス２３は、第１、第２、及び第３の導電パス２３１、２３２、２３３を含む。第１の導電パス２３１は第１及び第３の端子２４１、２４３を接続する。第２の導電パス２３２は第５、第７、及び第９の端子２４５、２４７、２４９を接続する。第３の導電パス２３３は第４、第６、及び第８の端子２４４、２４６、２４８を接続する。パス２３と端子２４は異なる組合せで接続してもよい。
【００５３】
回路部１７、１８はパス２１、２３と端子２２、２４を有する。なお、トレーディングカード１、２が、例えば抵抗、コンデンサや、インダクタおよびトランジスタなどの部品を備えるようにしてもよい。例えば、トレーディングカード１、２は、有機物半導体からなるトランジスタを有する論理素子すなわち論理回路（不図示）を備えてもよい。
【００５４】
第１及び第２のトレーディングカード１、２はチップを備えていない。したがって、回路部１７、１８は、従来のスマートカード用のメモリを備えた集積回路を提供するために通常利用されるシリコンやヒ化ガリウム等の半導体材料からなるチップ中、もしくはチップ上には形成されない。その代わりに、回路部１７、１８はトレーディングカード１，２上、またはトレーディングカード１、２中に直接形成される。
【００５５】
パス２１、２３にはそれぞれ導電性インクが使用される。ただし、パス２１、２３に導電性塗料や導体箔を利用してもよい。パス２１、２３は有機物半導体材料を利用してもよい。パス２１、２３のうち、異なる長さ部分や領域に異なる導電性材料を用いてもよい。また、端子２２、２４にも導電性インクが使用される。しかし、端子２２、２４に導電性塗料や導体箔を利用してもよい。さらに、パス２１、２３と端子２２、２４を異なる材料で形成してもよい。例えば、端子２２、２４に金属箔を使用し、パス２１、２３をインクとしてもよい。インクの代わりに金属箔を備える端子２２、２４は、より耐久性があり接点抵抗の低い接点とすることができる。
【００５６】
ここで、導電性インクの成分および印刷方法について記載したＷＯ−Ａ−０３０６８８７４を引用する。
【００５７】
パス２１、２３の線幅はそれぞれ少なくとも１０μｍオーダーである。パスの線幅は１００μｍであることが望ましい。より太い線幅、例えば１ｍｍオーダーの線幅としてもよい。本実施例では、パス２１、２３の線幅は同じである。しかし、線幅は同じである必要はなく、パス２１，２３で互いに異なるようにしてもよいし、あるパス２１，２３の長さ方向に沿って線幅が変化するようにしてもよい。パス２１、２３の厚さ（すなわち深さ）は、それぞれ少なくとも１０μｍオーダーである。後述するように、パス２１、２３の長さは１０ｍｍオーダーである。
【００５８】
パス２１，２３が例えば０．１〜１００Ωオーダーの適切な低抵抗を有するように、通常の実験からある特定の長さに対する線幅と厚さを決定することができる。
【００５９】
端子２２、２４はパス２１，２３の電気接点として機能する。一般に、端子２２、２４の幅はパス２１、２３よりも広い。しかし、端子２２、２４の幅はパス２１、２３より広くなくてもよく、例えばパス２１，２３の始点および終点といった領域に単純に設けてもよい。
【００６０】
ゲームカード３は少なくとも２つの導電パス２５と第１及び第２の端子群２６、２７を含む。
【００６１】
パス２５と端子２６、２７は導体箔からなる。しかし、パス２５および／又は端子２６、２７に導電インクを利用してもよい。あるいは、従来のいわゆる「フレックス回路」を使用することもできる。通常、フレックス回路はポリイミドなどの柔軟性のあるプラスチック基板上に銅配線を施している。パス２５の線幅は少なくとも１０μｍオーダーであり、線の厚さは少なくとも１０μｍオーダーである。
【００６２】
上述したように、ゲームカード３は、第１および第２のトレーディングカード１、２を比較して、第１及び第２のトレーディングカード１、２の比較結果を示すものである。
【００６３】
ゲームカード３はいわゆる「積層電池」として形成された電源２８を備える。積層電池２８は、厚さおよそ３００μｍであり、３．３Ｖの電位差を作用させて１０ｍＡｈを供給することができる。積層電池２８の例としては、Ｓｏｌｉｃｏｒｅ社のＦｌｅｘｉｏｎ（商標）シリーズのリチウムポリマー電池がある（2700 Interstate Drive, Lakeland, FL 33805 USA、Solicore, Inc.から入手可能）。２つ以上の電源を設けてもよい。
【００６４】
ゲームカード３は比較結果を示すための手段２９も備える。本実施例では、提示手段２９は２組の発光ダイオード２９１、２９２、２９３、２９４を備える。しかし、より多く、あるいはより少ない数の発光ダイオードを利用してもよい。さらに、例えばエレクトロクロミックまたは電気泳動ディスプレイなどの他の光や像の表示器を利用することもできる。エレクトロクロミックディスプレイは、ＵＳ−Ｂ−６７４４５４９に記載されており、Ａｖｅｓｏ社（ｈｔｔｐ：／／ｗｗｗ．ａｖｅｓｏｄｉｓｐｌａｙｓ．ｃｏｍ）から入手可能である。電気泳動ディスプレイはＥ  Ｉｎｋ  Ｃｏｒｐｏｒａｔｉｏｎ（733 Concord Avenue, Cambridge, MA 02138 USA）から入手可能である。
【００６５】
光や像の出力器に追加して、あるいは代替として、音出力器を利用してもよい。異なるタイプのインジケータを使用してもよい。
【００６６】
ゲームカード３が、提示手段２９を制御するデータ処理手段(不図示）も備えるようにしてもよい。ゲームカード３は、また、回路を完成するためのスイッチ(不図示）を備えるようにしてもよい。したがって、複数の回路が設けられる場合、個々の回路をそれぞれスイッチで選択することができる。
【００６７】
電源２８、提示手段２９、およびオプションでデータ処理手段(不図示）をゲームカード３に設けるということは、これらの部材２８，２９をトレーディングカード１、２に設置する必要がないということである。しかし、ゲームカード３を省略し、これらの部材２８、２９をそれぞれ、あるいは共有するように第１及び第２のトレーディングカード１，２に設けることもできる。
【００６８】
ゲームカード３において、第１の端子群２６は第１の端子２６１、第２の端子２６２、第３の端子２６３、第４の端子２６４、第５の端子２６５、第６の端子２６６、第７の端子２６７、第８の端子２６８、および第９の端子２６９を含む。端子群２６は、第１の端子２６１から始まり第９の端子２６９で終わるように一列に配置されている。端子群２６に含まれる端子の数および配置はこれとは異なるようにしてもよい。
【００６９】
第２の端子群２７は第１の端子２７１、第２の端子２７２、第３の端子２７３、第４の端子２７４、第５の端子２７５、第６の端子２７６、第７の端子２７７、第８の端子２７８、および第９の端子２７９を含む。端子群２７は、第１の端子２７１から始まり第９の端子２７９で終わるように一列に配置されている。端子群２７に含まれる端子の数および配置はこれとは異なるようにしてもよい。
【００７０】
少なくとも２つの導電パス２５は、第１、第２、第３、第４、第５、第６、第７、第８、および第９の導電パス２５１、２５２、２５３、２５４、２５５、２５６、２５７、２５８、２５９を含む。各パス２５は、通常、第１の端子群２６の端子と、それに対応する第２の端子群２７の端子とを接続する。例えば、第２の導電パス２５２は、第１の端子群２６の第２の端子２６２を第２の端子群２７の第２の端子２７２と接続する。ただし、別の構成を有するパス２５もある。第１の導電パス２５１は、電源２８と直列に配置されている。第４、第５、第６、及び第７の導電パス２５４、２５５、２５６、２５７は、それぞれ発光ダイオード２９１、２９２、２９３、２９４と直列に配置されている。
【００７１】
本実施例では、発光ダイオード２９１、２９２、２９３、２９４は、得点がされたか、あるいはシュートがセーブされたかを示すために利用される。したがって、第１及び第２の発光ダイオード２９１、２９２はセーブを示すように赤色であり、第３及び第４の発光ダイオード２９３、２９４は、ゴールを示すように緑色である。
【００７２】
提示手段はメッセージを提示するようにしてもよい。例えば、提示手段を１つ以上のディスプレイとして形成し、比較結果に応じて、たとえば  指示やヒントやなぞなぞ、またはイメージといった異なるメッセージや情報を提供するようにしてもよい。
【００７３】
これらのカードをボードゲームに使用してもよく、この場合、提示手段は、例えばボード上でコマを動かすために「左へ」「右へ」「上へ」「下へ」といった指示を提供する。
【００７４】
図３は、第１のトレーディングカード１の部分断面図を示す。
【００７５】
第１の導電パス／端子形成層３０（以降、簡単にするためにパス形成層と呼ぶ）は基板４の表面４１を部分的に覆っている。絶縁層３２は第１の導電パス形成層３０を部分的に覆う。絶縁層３２は非導電性インクからなる。ただし、絶縁層３２はインクでなくてもよい。例えば、絶縁層３２は接着剤で接着されるプラスチックでもよい。第２の導電パス形成層３３は、基板４、絶縁層３２、および第１の導電パス形成層３０を部分的に覆っている。この配置により、複数の導電パス２１が電気接触せずに交差することができる。しかし、絶縁層３２、および／又は、第２の導電パス形成層３３を省略してもよい。第２の導電パス形成層３３または追加の導電パス形成層（不図示）は基板４の反対側の面３４を覆うようにしてもよい。パス形成層３０，３３は導電インクを備えている。
【００７６】
第１、第２、第３および第４のテキスト/イメージ決定層３５，３６，３７，３８（以降、簡単にするためにイメージ決定層と呼ぶ）は、パス形成層３０，３３を  部分的に覆っている。第１、第２、第３、及び第４のイメージ決定層３５、３６、３７、３８は、シアン、マゼンタ、黄色、および黒色のインクの層を有する。イメージ決定層をより少なく、あるいはより多く設けてもよい。例として、単色インク、例えば黒インクの層を設けたり、イメージ決定層を省略してパス形成層３０，３３にテキスト１３とイメージ１５を設けるようにしてもよい。
【００７７】
端子を形成するためにパス形成層３０を利用する代わりに、別の端子決定層３９（鎖線で示す）を設けてもよい。この端子決定層は、パス形成層３０，３３と基板４を部分的に覆っている。
【００７８】
ここで説明した層構成では、基本的にイメージ形成層３５、３６、３７、３８がパス形成層３０、３３を覆っている。しかし、他の層構成を利用してもよい。例えば、パス形成層３０、３３が基本的にイメージ形成層３５、３６、３７、３８を覆うようにしてもよい。パス形成層３０、３３とイメージ形成層３５、３６、３７、３８は、全体的に織り混ざるように、すなわち、互いに覆い覆われるように構成してもよい。パス形成層３０、３３が全体的にイメージ形成層３５、３６、３７、３８の間に挟まれるようにしてもよい。非導電性の層に設けられた穴、すなわちビアホールによって、２枚の導電層同士を接続することができる。
【００７９】
第１のトレーディングカード１は、基板４を用意し、印画法によりインクの層３０、３２、３３、３５、３６、３７、３８を順に塗布することによって製造される。印画法は、インクジェット印刷、転写印刷または当該分野で知られている他の手法としてもよい。導電インク３０，３３も、実質的に従来のインク３５、３６、３７、３８と同じ方法で塗布することができる。したがって、従来の印画法を利用することでトレーディングカード１を製造することができる。
【００８０】
パス形成層３０、３３は基板４の表面３１上であって、基板４を覆う単一の層（不図示）または複数の層(不図示）の上に設けられ、および/または基板４の表面３１を覆う表層３１’内に形成されてもよい。表層３１’は複数の層、例えばパス形成層３０，３３、絶縁層３２、およびイメージ決定層３５、３６、３７、３８などを含む。従来のスマートカードと異なり、パス形成層３０、３３は、通常基板内に埋め込まれているチップ（不図示）内やチップ上に設けられるものではない。すなわち、回路部分１７（図２）はトレーディングカード１の少なくとも１つの表面に設けられる。
【００８１】
パス形成層３０、３３は基板４と別の基板または層（不図示）の間にラミネートされてもよい。例えば、パス形成層を基板４の表面３１上に塗布し、他方の基板(不図示）を基板４のパス形成層３１上に貼り付けることで、パス形成層３０，３３をラミネートする。他方の基板（不図示）に、ホール（不図示）や切り欠き領域（不図示）を設けたり、他方の基板を基板４よりも小さくして、貼り付けたときに基板４を完全にカバーしないようにする。これにより、端子２２（図２）をアクセス可能とする。この構成によりパス形成層３０、３３を保護することができる。
【００８２】
図４は、第２のトレーディングカード２の部分断面図を示す。第２のトレーディングカード２は第１のトレーディングカード１と同様の構成を有しており、基板５の表面４０を部分的に覆う第１の導電パス形成層３９と、絶縁層４１と、第２の導電パス形成層４２と、第１、第２、第３、及び第４のイメージ決定層４３、４４、４５、４６を備える。
【００８３】
第２のトレーディングカード２は、第１のトレーディングカードと同じ方法で製造される。第１及び第２のトレーディングカード１、２を、共通の基板（不図示）、例えばシート上に同時に製造してもよい。このシート（不図示）は、例えばカッティング、またはプレスによって分割され、トレーディングカード１、２を含む複数のトレーディングカードに形成される。
【００８４】
第１のトレーディングカード１と同様に、第２のトレーディングカード２において、パス形成層３９、４２は基板５の表面４０上であって、基板５を覆う単一の層（不図示）または複数の層(不図示）の上に設けられ、および/または基板５の表面３１を覆う表層３１’内に形成されてもよい。表層４０’は複数の層、例えばパス形成層３９，４２、絶縁層４１、およびイメージ決定層４３，４４，４５，４６などを含む。従来のスマートカードと異なり、パス形成層３９，４２は、通常基板内に埋め込まれているチップ（不図示）内やチップ上に設けられるものではない。すなわち、回路部分１８（図２）はトレーディングカード２の少なくとも１つの表面に設けられる。
【００８５】
第１のトレーディングカード１の構成と同様に、パス形成層３９、４２は基板５と別の基板または層（不図示）の間にラミネートされてもよい。
【００８６】
図５はゲームカード３の断面図を示す。
【００８７】
基板６は、第１および第２のトレーディングカード１，２を受け取るための第１及び第２のスロット４７、４８を設けるように構成される。パス/端子決定層４９（以降、パス決定層４９と呼ぶ）は、基板６に埋め込まれ、第１及び第２の内向スロット表面５０，５１を部分的に覆っている。後述するように、パス決定層４９は、ラミネートされた基板を使用することによって、基板６に埋め込まれる。
【００８８】
第１及び第２の傾斜部５２、５３を、スロット４７、４８の、例えば第３、及び第４の内向スロット表面５２，５３に設けてもよい。これらのスロット表面５２，５３は第１及び第２の内向スロット表面５０、５１に対向し、トレーディングカード１，２上の端子２２，２４をゲームカード３上の端子２６，２７にそれぞれ付勢するためのものである。これにより、端子接触を良好にする。
【００８９】
ゲームカード３を製造するための処理を説明する。
【００９０】
この処理では、第１及び第２の基板部６１、６２を例えば接着剤で貼り合わせる。第２の基板部６２には、電源２８（図２）と発光ダイオード２９１、２９２、２９３、２９４（図２）を収容するための凹部（不図示）または窓部（不図示）が設けられる。例えば、凹部５４は第２の発光ダイオード２９２を収容するために設けられる。この処理では、さらに、例えば箔押しによってパス決定層４９を塗布する基板部６３を設け、第２及び第３の基板部６２，６３をラミネートして第２及び第３の基板部６２、６３の間にパス決定層４９を挟むようにする。電源２８（図２）と発光ダイオード２９１、２９２、２９３、２９４（図２）には表面端子(不図示）が設けられる。例えば、第２の発光ダイオード２９２にはパス決定層４９と接触するための１組の端子５５が設けられている。この処理では、さらに第２及び第３の基板部６２、６３を例えば接着剤により貼り合わせる。第３の基板部６３には発光ダイオード２９１、２９２、２９３、２９４（図２）のための窓部(不図示）が設けられている。例えば、窓部５６は第２の発光ダイオード２９２用である。
【００９１】
上述したように、トレーディングカードは共通基板上に製造してもよい。複数のゲームカードを共通基板上に製造してもよい。トレーディングカードとともにゲームカードもパッケージとして使用できる基板上に製造してもよい。したがって、シリアルボックスなどの箱が、少なくとも１枚のトレーディングカード、例えばトレーディングカード１を含むようにし、プレイヤーがそれを切り取って使うことができるようにする。そのボックスにゲームカード３などのゲームカードを含めてもよい。
【００９２】
カード１、２、３は、トレーディングカード１、２をゲームカード３のスロット４７、４８に挿入することによって組み立てられる。
【００９３】
図６に示すように、組み立てられた状態で、第１のトレーディングカード１の少なくとも数個の端子２２がゲームカード３の端子２６にそれぞれ接触する。例えば、第１のトレーディングカード１の第１の端子２２１はゲームカード３の第１の端子群２６の第１の端子２６１と接触する。同様に第２のトレーディングカード２の少なくとも数個の端子２４がゲームカード３の端子２７にそれぞれ接触する。例えば、第２のトレーディングカード２の第１の端子２４１はゲームカード３の第１の端子群２７の第１の端子２７１に接触する。したがって、第１、第２、及び第３の回路部１７、１８、１９が連結され、回路２０が完成する。冗長経路（または「冗長ブランチ（redundant branches）」とも呼ばれる）が鎖線で示されている。回路２０が完成すると、第３の発光ダイオード２９３が点灯する。これは、得点が入ったことを示す。
【００９４】
ゲームカード３は異なるカードを比較するために使用することができる。１組のカードの組合せによって、予め設定された結果を示すように少なくとも１つの発光ダイオード２９１、２９２、２９３、２９４（図２）を点灯する回路が構成される。したがって、カード上のあるパスやブランチがある回路で使用されたとしても、別の回路では余剰経路となることがある。
【００９５】
例えば、フォワードはディフェンダーに対して得点を狙うことができる。２枚のトレーディングカード１、２を比較することによって、ゲームカード３は得点が入ったか否かを判定することができる。例えば、以下の表１に、フォワード用トレーディングカード（Αカード）とディフェンダー用トレーディングカード（Ｄカード）とを比較するときにゴールが決まったか、シュートが止められたかを示す。
【表１】
2008526339.tif 000003
【００９６】
第１および第２のトレーディングカード１、２は表１のカードＡ１とＤ３にそれぞれ対応している。当業者には理解できるように、第１及び第２のトレーディングカード１、２上の導電パスの配置を選択的に変更することによって、所定の発光ダイオード２９１，２９２，２９３，２９４(図２）に電流を流すことができる。第１および第２のトレーディングカード１，２のそれぞれにおいて４通りの組み合わせの導電パスを配置することにより、１６通りの完全回路を形成することが可能となる。事実、１６通りよりもっと多くの組み合わせの完全回路を形成してもよい。
【００９７】
上述したように、トレーディングカード１、２は、例えばフォワードとディフェンダーのように二人以上載せることもできる。したがって、トレーディングカードは２つ以上の回路部を搭載することができ、各回路部はそれぞれ対応する端子群を備える。例えば、第１の端子群はカードの右端領域に並べられ、第２の端子群はカードの左端領域に並べられる。したがって、そのカードを、フォワード用トレーディングカードおよびディフェンダー用トレーディングカードのいずれかとして利用したり、あるいは異なる２枚のフォワード用トレーディングカードとして利用することもできる。さらに、カードの各辺に回路部を設けることもできる。すなわちｎ個の辺をもつカードの場合、ｎ個の回路部を設けることができる。同一の辺に複数の端子群を配置することによって、追加の回路部を設けることができる。例えば、カードの一辺を上部と下部とに分け、それぞれが別々の端子群を備えるようにする。また、カードの両面に端子群を設けることによっても、追加回路部を搭載することができる。
【００９８】
トレーディングカード１、２は、パスの構成を利用することで、例えば得点やシュートセーブ等のデータのコード化手段、および/または計算手段として機能することができる。より多くのデータをコード化したり、より複雑な計算を実行するために、より複雑な回路を用いてもよい。適切な提示手段２９を選ぶことによって、トレーディングカード１、２を視覚障害者や聴覚障害者が利用できるようにすることができる。
【００９９】
なお、上述した実施の形態に対して種々の変形が可能である。例えば、カードを他のフットボール連盟（イングランド、スコットランド、または他国）の選手またはチームに関するものとしてもよい。国際的なチームまたは選手に関するカードとしてもよい。監督やスタジアム等、サッカーの別の観点に関するカードとしてもよい。ラグビーユニオン、ラグビー連盟、クリケット、または別の運動競技、アメリカンフットボールまたは野球などの他のチーム・スポーツに関するカードとしてもよい。別のタイプのスポーツ、例えばゴルフ、テニス、ボクシングまたはレスリングなどに関するカードとしてもよい。モーター・レースやセーリング等のスポーツに関するカードとしてもよい。スポーツ関連のカードとする必要はなく、例えば車、テレビ番組、映画、都市等の他のテーマに関するものとすることもできる。従来の英米のトランプやスナップカード等のトランプを利用することもできる。カードをボードゲームに使用してもよい。カードに多項選択式の質問を載せて、回路の一部をボードかカードリーダに差し込むと回答を示すようにしてもよい。
【図１】
2008526339.tif 000004
【図２】
2008526339.tif 000005
【図３】
2008526339.tif 000006
【図４】
2008526339.tif 000007
【図５】
2008526339.tif 000008
【図６】
2008526339.tif 000009
【国際調査報告】
2008526339.tif 000010
2008526339.tif 000011
2008526339.tif 000012